Podtech/llm-jp-corpus-v4-ja_patent huggingface dataset:
(57)【要約】      （修正有）【課題】もともと針を使用して作品を作るメタリックヤーンと呼ばれる糸を用い、針を使わずに、その糸を台紙に両面テープを貼った上に置くことで作成する新しい組合せを提供する。【解決手段】従来の貼り絵は、台紙に紙や砂、布を糊で貼り付けたものであるが、本来は針を用いて手芸する糸を使用し、また両面テープを用いることで、周囲を汚すことなく綺麗に、また、途中で気に入らなければ、糸を張り替えることも可能な、高齢者に容易な技術となる。個人個人が独自のアートを楽しむことが出来、いろいろなタイプの作風のあるデコレーション技術が可能となった。また、この技術を生かし、身の周りのグッズなどに装飾を施すことで、実際の生活で活用出来る。【選択図】図１
0003161240.tif 000002
【実用新案登録請求の範囲】
【請求項１】
題材になる下絵やプリントアウトした写真に、全面両面テープを貼り、その上にメタリックヤーン（登録商標）の糸を、そのまま用いたり分解したり細かく刻んだりしたものを、それぞれの種類の性質の違いを利用して貼り付けることで、独特の組合せが出来る。これを身の回りのグッズに装飾して用いることが出来るメタリックデコレーション。
【考案の詳細な説明】
【技術分野】
【０００１】  本発明は、高齢者施設等における手芸の新しい組合せである。
【背景技術】
【０００２】  高齢者の手芸は、視力の低下や、脳梗塞の後遺症などの手の機能の衰えや震えなどから制限が加わり、針を使えないことで手芸の楽しみを失ってしまう方が多いという現状がある。これは、針をもてなくなった方もできる簡単で安全な手芸である。
【考案の概要】
【考案が解決しようとする課題】
【０００３】  もともと針を使用して作品を作る、メタリックヤーン（登録商標）と呼ばれる糸を用い、針を使わずに、その糸を台紙に両面テープを貼った上に置くことで作成する新しい組合せである。
【課題を解決するための手段】
【０００４】  従来の貼り絵は、台紙に紙や砂・布を糊で貼り付けたものであるが、本来は針を用いて手芸する糸を使用し、また両面テープを用いることで、周囲を汚すことなく綺麗に、また、途中で気に入らなければ、糸を張り替えることも可能な、高齢者に容易な技術となる。【０００５】  台紙は、大きく分けて次の２種類が可能である。
１、写真に写したプリントアウトを使用できること。お気に入りの風景や花・ペットを写し、それをプリントアウトした用紙に、両面テープを貼り、上に糸を置くことで、原画とは一味違う形での作品を作ることができる。
２、オリジナルデザインを使用できること。自分の描いた模様に装飾ができる。また、気ままに糸を乗せて心の趣くままに動かしながら置くだけでできる作品も可能である。【０００６】  上記を上質のアートに仕上げる工夫として、メタリックヤーンの糸を分解して使用する技術と、細かく裁断して使用する技術がある。
分解する方法は、糸を１０から１５センチくらいに切り、先を広げるようにして開き、束ねてある一本一本を引き出すと、３種類（細い糸・太い糸・金（銀））の糸に分けられる。
これらの糸を、細い糸は細かい部分表現に、太い糸は広げて余白を埋める部分や、風合いを出す部分に、また、金糸銀糸は輝きを際立たせたい部分に使用することで、より表現力のある作品に仕上げることができる。
細かく裁断する方法は、糸を粉のようにすることで、糸そのものでは表現することが難しい繊細な部分を異なる表現技術であらわすことができるようになった。また余白などを埋める技術としても適切である。
【考案の効果】
【０００７】  出来た台紙を額に入れて飾ったり、タペストリーにしたり、カレンダーにすることはもちろんのこと、台紙を使わず空き箱の蓋や、筆入れや携帯電話の表面に直接装飾したり、またこのようにして出来た作品を、デジタル処理することで、Ｔシャツや、名刺をつくることも出来る。ラミネート処理すれば、コースターや名札なども作成できる。
【図面の簡単な説明】
【０００８】
【図１】写真のデジタルプリントで作成した装飾
【図２】心の趣くままに糸を乗せてゆく方法で作成した装飾
【図３】下絵を描いて作成した装飾
【図４】装飾活用できる身の回りのグッズ例  小物入れの蓋の装飾
【図５】デジタルカメラのデータの活用例  プリントＴシャツ
【図６】ラミネート処理したものの活用例  名札
【考案を実施するための形態】
【０００９】＜写真編＞〔図１〕
１）  デジカメの写真のプリントアウトを用意。
全面に両面テープを貼る。
２）  糸をそのまま、実線の上に乗せてゆく。
３）  糸をほぐしたものの中から、金糸を使用し、点線の上に乗せる。
４）  空の部分は、ほぐしたものの中の太い糸を広げて乗せる。
５）  糸を短く切って乗せる。
６）  糸を細かく切って乗せる。
＜模様編▲１▼＞〔図２〕
１）  用紙に全面、両面テープを貼る。
２）  糸を心の趣くままに上に乗せてゆく。
３）  糸を細かく切ったものを乗せる。
４）  糸をほぐしたものの中で、細い糸と金（銀）を適宜切り、乗せる。太い糸は、広げてふわりと乗せる。
＜模様編▲２▼＞〔図３〕
１）  用紙にデザインを下絵する。
２）  その上に、全面両面テープを貼る。
３）  好みの色のメタリックヤーンを選び、乗せる。
【実施例】
【００１０】Ｉ、装飾後に活用できる身に周りのグッズ例
・小物入れの蓋の装飾〔図４〕
・ノート、ファイルの装飾
・筆入れや携帯電話の装飾
・タペストリー・壁掛け
・ステンドグラス
・マグネット
ＩＩ、デジタルカメラのデータの活用例
・プリントＴシャツ〔図５〕
・便箋・はがき・カード名刺
・カレンダー
・パソコン壁紙
・トートバック・エコバック
ＩＩ、ラミネート処理したものを活用例
・名札〔図６〕
・コースター
・下敷き
・しおり
【図１】
0003161240.tif 000003
【図２】
0003161240.tif 000004
【図３】
0003161240.tif 000005
【図４】
0003161240.tif 000006
【図５】
0003161240.tif 000007
【図６】
0003161240.tif 000008
【手続補正書】
【提出日】平成22年4月28日(2010.4.28)
【手続補正１】
【補正対象書類名】実用新案登録請求の範囲
【補正対象項目名】全文
【補正方法】変更
【補正の内容】
【実用新案登録請求の範囲】
【請求項１】
金または銀糸の入ったメタリックヤーンを細かく切るかまたは、一本一本に分解して、両面テープを貼った台紙の上に貼り付けるという組み合わせによってできる装飾画。
【手続補正２】
【補正対象書類名】明細書
【補正対象項目名】００１０
【補正方法】変更
【補正の内容】
【実施例】
【００１０】
Ｉ、装飾後に活用できる身の周りのグッズ例
・小物入れの蓋の装飾  図４
・ノート、ファイルの装飾
・筆入れや携帯電話の装飾
・タペストリー・壁掛け
・ステンドグラス
・マグネット
ＩＩ、デジタルカメラのデータ活用例
・プリントＴシャツ  図５
・便箋・はがき・カード名刺
・カレンダー
・パソコン壁紙
・トートバック
ＩＩＩ、ラミネート処理したものの活用例
・名札  図６
・コースター
・下敷き
・しおり
(57)【要約】      （修正有）【課題】１人前で手軽に、もんじゃ焼を味わえるもんじゃ焼きのレトルトパックを提供する。【解決手段】各種の具材入りで、調理済みの、もんじゃ焼をレトルト食品として詰める。【選択図】図１
0003161050.tif 000002
【実用新案登録請求の範囲】
【請求項１】
もんじゃ焼（各種々具材入り）調理済みをレトルト食品とし手軽に１人前用から召し上がれる事を特徴とする。
【考案の詳細な説明】
【技術分野】
【０００１】本願考案は、熱湯並びに電子レンジにより加熱し召し上がれるレトルト食品もんじゃ焼を提供する。
【背景技術】
【０００２】従来から市販されている１人前用のレトルト食品カレー・牛丼・中華丼など種々のレトルト食品が有りますが、もんじゃ焼レトルト食品は無かった。
【考案の概要】
【考案が解決するための手段】
【０００３】本願考案は、上記に述べております様に熱湯並び電子レンジの加熱により、一人前から便利に召し上がれる。
もんじゃ焼は専門店に行くなどして食べるなり具材の用意や調理の時間や手間がかかるし、鉄板が無くても手軽に、もんじゃ焼を楽しめる、レトルト食品もんじゃ焼を提供するもので有る。
【課題を解決するための手段】
【０００４】本願考案では上記目的を達成するに至り従来から市販されている、カレー・牛丼・中華丼などのレトルト食品同様に熱湯並び電子レンジの加熱後に即もんじゃ焼を味わえる。
図１〜図３を参照されて頂き好適な実施例を説明する。
【考案の効果】
【０００５】以上の説明から明らかな様に、本願考案は、もんじゃ焼を調理した物をレトルト食品にし熱湯並び電子レンジの加熱後、１人前から手軽に、もんじゃ焼を味わえる。
【図面の簡単な説明】
【０００６】
【図１】熱湯で加熱
【図２】電子レンジで加熱
【図３】フライパンで加熱
【図１】
0003161050.tif 000003
【図２】
0003161050.tif 000004
【図３】
0003161050.tif 000005
【手続補正書】
【提出日】平成22年4月21日(2010.4.21)
【手続補正１】
【補正対象書類名】実用新案登録請求の範囲
【補正対象項目名】全文
【補正方法】変更
【補正の内容】
【実用新案登録請求の範囲】
【請求項１】
各種々具材入りの調理済み、もんじゃ焼きをレトルト食品として詰めたレトルトパック。
(57)【要約】      （修正有）【課題】センサーを備え、モグラ捕獲の確度を向上させたモグラ捕りを提供する。【解決手段】枠組１の上部にスプリング２を、中部に展張したスプリングを掛ける可動フック６及び固定フック７を、下部にスプリングと連結できる環状の罠１２を取り付け、罠の前方に、押されると可動フックを解放させるセンサー９を備えたモグラ捕りを準備する。このモグラ捕りを露出させたモグラの穴に当て、センサーを罠受け１０に当るまで回して、その下にモグラの穴と連続して罠を通ってセンサーの前方に至る穴を補助具の丸棒を使って人為的に復元する。そこでセンサーを垂直にすることによりセンサーを穴の中に設定する。また、スプリングは地上に位置するため、伸縮の状態によって、仕掛けたままで捕獲の有無を視認できる。【選択図】図１
0003161091.tif 000002
【実用新案登録請求の範囲】
【請求項１】
枠組の上部にスプリングを、中部に展張したスプリングを掛けるフックを、下部にスプリングに連結できる環状の罠を取り付け、罠の前方に、押されるとフックを解放させるセンサーを備えたモグラ捕り。
【請求項２】
モグラの穴の外縁部に接して、穴と直交する軸を設定し、この軸にアームを取り付け、アームの一端が穴の中心となる部位はモグラの進行の妨げとなる形状とし、この部位を押す動きをモグラの動きとして他端から出力する請求項１記載のセンサー。
【考案の詳細な説明】
【技術分野】
【０００１】  本考案は、モグラ捕獲の確度を高めたモグラ捕りに関するものである。
【背景技術】
【０００２】  従来のモグラ捕りは、挟む型、閉じ込める型など、何れもモグラの穴を破壊したまま土中に埋没させて仕掛けるものである。
【考案の概要】
【考案が解決しようとする課題】
【０００３】  以上に述べた従来のモグラ捕りでは、モグラに回避されてしまうことが多い。また、捕獲の有無について視認性に欠ける。【０００４】  本考案は、モグラの回避行動を極限することによって、捕獲を確実にするとともに、仕掛けたままで捕獲の有無を視認できるようにすることを目的とするものである。
【課題を解決するための手段】
【０００５】  モグラは習性として、通路を筒型の器具で置換したり、通路を破壊したまま器具を土中に設置すると、多くの場合これら器具を回避してしまう。しかし、通路の途中に、通路を遮断するほどではないが進行の妨げとなる程度の突起物があると回避することなく押し退けて前進する。この習性に適合させるため、仕掛けに際し、罠の内側に土を成形して通路を復元し、この通路の中に罠と連動しトリガーとなるセンサーを突起させることにより、捕獲を確実にすることができる。また罠の可動部の一部を地上に配置することにより、捕獲の有無を視認できる。
【考案の効果】
【０００６】  以上のように、請求項１の考案によれば、モグラ捕りを仕掛けたときには、モグラの穴は復元されていて、センサーのみ穴の内部に突起しているが、センサーは押せば前方に退くため、モグラがモグラ捕りを回避する行動を極限し捕獲を確実にする。さらに、地上にあるスプリングの伸縮の状態から、モグラ捕獲の有無を視認できる。【０００７】  また、モグラ本来の穴の中にセンサーなど設定することが困難であるところ、請求項２記載の考案によれば、センサーを後方へほぼ水平になるまで回転させて、その下に、一旦破壊した穴を復元し、復元した穴の中央までセンサーを戻すことにより可能となる。中央から前方へのセンサーの動きは、モグラの前進として、軸回りに出力できる。罠の形態にかかわらず仕掛けに際し穴を連続させることができる。
【図面の簡単な説明】
【０００８】
【図１】本考案の実施形態を示すモグラ捕りの立面図
【図２】本考案の実施形態を示すモグラ捕りの縦断面図
【考案を実施するための形態】
【０００９】  本考案は、上記目的を達成するために、枠組の上部にスプリングを、中部に展張したスプリングを掛けるとフックを、下部にスプリングと連結できる環状の罠を取り付け、罠の前方に、押されるとフックを解放させるセンサーを備えたモグラ捕りを提供するものであり、仕掛けに際しては、罠を通るモグラの穴を復元し、その穴の中にセンサーを設定できること及びスプリングを、動きが視認できるよう、地上に配置したものである。
【実施例】
【００１０】  本考案のモグラ捕りは、図１に示されるように、枠組１の上部にスプリング２を取り付け、スプリングの下端にはスプリング掛け３を取り付けてある。枠組の中部には、上下にマウントを有するベース４を固定し、上部マウント５には可動フック６を、下部マウント８にはセンサー９をそれぞれの軸によって取り付けてある。可動フックの高さに合わせて固定フック７が固定してある。枠組の下部には、内側に溝を切った環状のガイド１１を有する罠受け１０が固定してあり、罠受けには、連結用のチェーン１３を有する環状の罠１２が装着されている。仕掛ける過程でセンサーの作動方向を前方のみに制限するため、リミッター１４がベースに取り付けられている。【００１１】  仕掛け方は、モグラ捕りのスプリング掛け３を引いて可動フック６と固定フック７の間に掛ける。罠１２のチェーン１３をスプリング掛けと連結し、罠をガイド１１の溝に納める。モグラ捕りの他に、長さが約１５センチメートルで太さが約４センチメートルの丸い棒又は筒を補助具として準備する。モグラの穴を露出し、仕掛ける側の穴にガイドを合わせて密着させる。リミッター１４を開き、センサー９を罠受けに当るまで回す。ガイドの下辺を土で覆い見えなくし、その上からモグラの穴に丸い棒の一端を差し込む。棒の周囲を、ベース４の下辺りまで土をかけて押し固める。センサー前方５センチメートル程度まで押し固めたら、棒を抜き取り、開口部は土をかけて塞ぐ。センサーを垂直位置まで戻し、センサーの上部を可動フックの下部と軽く接触させ、リミッターを閉じて仕掛けは完了する。本モグラ捕りは、単方向仕様のため切開したモグラの穴の両側にそれぞれ仕掛けたほうが効果的である。【００１２】  本考案の動作について、モグラがガイド１１に納まった罠１２の前方に頭と前足を出した所で、センサー９が邪魔になり押すと、センサー下部は前方に動き、上部は可動フック６の下部を押す。同時に可動フックはスプリング掛け３を解放し、スプリング２が罠を引き上げ罠受け１０との間にモグラを締めて捕獲に至る。また、地上部にあるスプリングの伸縮の状態によって、仕掛けたままで捕獲の有無を視認できる。
【符号の説明】
【００１３】  １  枠組
２  スプリング
３  スプリング掛け
４  ベース
５  上部マウント
６  可動フック
７  固定フック
８  下部マウント
９  センサー
１０  罠受け
１１  ガイド
１２  罠
１３  チェーン
１４  リミッター
【図１】
0003161091.tif 000003
【図２】
0003161091.tif 000004
(57)【要約】      （修正有）【課題】電気バリカンによる理髪時に飛散する毛髪を電気掃除機及び工業用集塵機を使い吸い取る毛髪飛散防止装置を提供する。【解決手段】耐久性のプラスチックス等適宜素材にてホルダー本体１を成形して電気掃除機、集塵機と電気バリカンを一体化して理髪に飛散する毛髪を同時に吸い取り、その毛髪が身体に付着する事なく廻りを汚す事無く掃除の必要もない。【選択図】図１
0003161098.tif 000002
【実用新案登録請求の範囲】
【請求項１】
家庭用掃除機及び工業用集塵機を使いその吸気による吸い取り効果で理髪時の毛髪飛散を防ぐ事を特徴とした毛髪飛散防止装置
【考案の詳細な説明】
【技術分野】
【０００１】本考案は電気バリカンによる理髪時の毛髪の飛散防止に関するものである。
【背景技術】
【０００２】一般の理髪の場合、ナイロン又はビニール製の合羽のような物を身に纏い毛髪が身体に毛髪が付着するのを防いでいた、又理髪後の飛散した毛髪は掃除機で吸い取るか箒によって掃き取っていた。
【考案の概要】
【考案が解決しようとする課題】
【０００３】この装置によって毛髪に飛散と身体への付着をなくし且つその飛散した毛髪の後掃除を行わなくて済む様にしたものであり、これを提供するものである。
【課題を解決するための手段】
【０００４】本考案は電気バリカンと電気掃除機をホルダー本体に一体化して理髪時に飛散する毛髪を電気掃除機の吸引によって吸い取り、その毛髪の飛散を防止し解決したものである。
【考案の効果】
【０００５】この考案によって電気バリカンによる理髪時の毛髪飛散が１００パーセント無くなり清潔な理髪ができ、飛散した毛髪の後掃除を行わなくてよい。
【図面の簡単な説明】
【０００６】
【図１】は本考案に係わる１本体ホルダーから、７電気掃除機吸い込み口までの実施例を示す側面図である。
【図２】は１ホルダー本体の正面図である。
【図３】は１ホルダー本体に電気バリカンを装着した図である。
【図４】は１ホルダー本体の半割りを示した図である。
【図５】は１ホルダー本体の半割りの正面図である。
【考案を実施するための形態】
【０００７】本装置はホルダー本体の上部先端部に吸い込み口を設けその後部には電気掃除機よりのダクトホースの取り付け口を設けてある。ホルダー本体中部には中仕切りを設け吸気の流れを良くしホルダー本体下部に電気バリカン装着部を設け装着固定するようにした。又ホルダー本体は内部の掃除や電気ガリカンの脱着が簡単に出来る様に２つ割り形式としても良い。
【実施例】
【０００８】以下、添付図面に従って一実施例を説明する。図１−１は耐久性プラスチック等適宜素材にて一体化形成されたホルダー本体。２は本体先端吸い込み口で、理髪時に飛散する毛髪のカット屑を同時に吸い取る吸い取り口。３は電気バリカン装着入り口で、電気バリカンを装着して毛髪をカットするものである。４は本体の中仕切り板でこの板を組み込む事により吸気の流れを良くし且つ電気バリカン側への毛髪の流入を遮る役目をする。５は本体の下仕切り板で電気バリカンの空間を少なくし且つ電気バリカンを固定するものである。６は電気バリカン後部露出部で電源をセットする場所である。
７は電気掃除機吸い込み取り付け口で電気掃除機からの吸い込み用ダクトホース取り付け口である。図３はホルダー本体にＡ電気バリカン本体を装着した図でＡ電気バリカン本体は解り易く斜線で示したものである。Ｂは電気バリカン刃部で吸気口との間隔は理髪に邪魔にならない程度の距離で無くてはならない。Ｃは電源差込み部である。
図４はホルダー本体を半割りにした側面図である。この半割りを取り付け金具で取り付け取り外しを可能にすれば吸気道内部の掃除が簡単に出来、又Ａ電気バリカンの脱着も容易に行う事ができる。
【符号の説明】
【０００９】１ホルダー本体
２毛髪吸い込み口
３電気バリカン取り付け口
４ホルダー本体中仕切り板
５ホルダー本体下仕切り板
６電気バリカン後部取り付け出口
７電気掃除機吸い込み取り付け口
Ａ電気バリカン本体
Ｂ電気バリカン刃部
Ｃ電気バリカン後部電源差込口。
【図１】
0003161098.tif 000003
【図２】
0003161098.tif 000004
【図３】
0003161098.tif 000005
【図４】
0003161098.tif 000006
【図５】
0003161098.tif 000007
(57)【要約】【課題】    聴覚障害者も健常者と同じように安全に確実にレスキューブザー機器の操作が出来るようにする。【解決手段】ブザー・振動・点滅ランプの同時作動によって、機器の作動が確実に確認され誤動作による周囲に与える悪影響を除去することが可能になり、所有している聴覚障害者の方の心理的な安心感を与えることができる。【選択図】図１
0003161039.tif 000002
【実用新案登録請求の範囲】
【請求項１】
本体作動時にブザーと振動器と点滅ライトが、一斉に稼働し安全に確実に動作確認ができる聴覚障害者の為のレスキューブザー。
【請求項２】
本体下部に付いている、ひもスイッチを引くことによって作動する、請求項１に記載のレスキューブザー。
【請求項３】
点滅ライトとは別に懐中電灯も本体に組込、側面のスイッチによって点灯切替ができる、請求項１に記載のレスキューブザー。
【請求項４】
本体にストラップ掛けを用途に応じて選択取付可能で、請求項１に記載のレスキューブザー。ベルトフックも付いており必要に応じた箇所に装着可能な、請求項１に記載のレスキューブザー。
【考案の詳細な説明】
【０００１】考案は、聴覚障害者の為のレスキューブザー機器に関するものである。
【背景技術】
【０００２】従来より、健常者がスイッチや紐を引いて操作するような表示はされている。
【考案の概要】
【考案が解決しようとする課題】
【０００３】ところが、前記の操作盤表示だけでは聴覚障害者には音や作動の確認が出来ない。【０００４】そこで、考案は聴覚障害者も誤動作による周囲の迷惑を防ぎ確実に作動していることを確認にするのが出来る事が目的である。
【課題を解決するための手段】
【０００５】請求項１に記載の考案は、レスキューブザー機器本体にブザーと振動器とランプの点滅装置を取付ける事によって聴覚障害者も健常者と同様に安全で確実に操作できるようになる。【０００６】請求項２に記載の考案は、聴覚障害者も健常者も必要な操作が出来るような操作表示となっている。【０００７】請求項３に記載の考案は、必要に応じて懐中電灯にもなり暗い所でも視野の確保を担保する事ができる。【０００８】請求項４に記載の考案は、用途や必要に応じた箇所に装着可能な工夫をしている。
【考案の効果】
【０００９】請求項１〜４に記載された考案は、聴覚障害者も健常者と同様に安全で確実にレスキューブザー機器の操作が出来るようになる。
【図面の簡単な説明】
【００１０】
【図１】  考案の第１実施形態を示すレスキューブザー機器の正面図
【図２】  レスキューブザー機器の背面（裏側）
【図３】  レスキューブザー機器の右側面
【図４】  レスキューブザー機器の左側面
【図５】  レスキューブザー機器の上部
【図６】  レスキューブザー機器の下部
【考案を実施するための形態】
【００１１】以下、考案を具体化した第１実施形態を図面に基づいて説明する。
【００１２】図１、図２、図３、図４、図５、図６によって聴覚障害者も安全に確実に操作可能になる。
【図１】
0003161039.tif 000003
【図２】
0003161039.tif 000004
【図３】
0003161039.tif 000005
【図４】
0003161039.tif 000006
【図５】
0003161039.tif 000007
【図６】
0003161039.tif 000008
【手続補正書】
【提出日】平成22年4月16日(2010.4.16)
【手続補正１】
【補正対象書類名】実用新案登録請求の範囲
【補正対象項目名】全文
【補正方法】変更
【補正の内容】
【実用新案登録請求の範囲】
【請求項１】
長方立法体の形状本体に、ひもスイッチ、切替スイッチ、１２０ｄｂ出力音量ブザー、振動モーター内蔵の振動器、点滅用ＬＥＤ電球、懐中電灯用ＬＥＤ電球の部品が組込れ、二つの独立した回路からなりたっており、一つの回路のひもスイッチには１２０ｄｂ出力音量ブザー、振動モーター内蔵の振動器、点滅用ＬＥＤ電球が直列連結、もう一つの回路の切替スイッチには、懐中電灯用ＬＥＤ電球が直列連結された構成になっているレスキューブザー。
【請求項２】
本体下部の、ひもスイッチを引くことにより、１２０ｄｂ出力の音量ブザーと振動器、ＬＥＤ電球の点滅によって、外部に対しての警報音と、振動器からの振動と点滅によって器機の稼働を視覚と体感で安全に確実に動作確認が出来る、請求項１に記載のレスキューブザー。
【請求項３】
本体側面の、切替スイッチを必要時に作動することよって懐中電灯が点灯する、請求項１に記載のレスキューブザー。
【請求項４】
本体上部に点滅用と懐中電灯用のＬＥＤ電球を配備し、さらにストラップ掛け用の溝を設けている、さらに背部にあたる外側本体にはベルトフックが付いている、請求項１に記載のレスキューブザー。
(57)【要約】      （修正有）【課題】ペーパータオルや、テッシュペーパー等薄い紙が、多数枚重なっている場合に１番上の紙を１枚だけ取りやすくする為のガイドを提供する。【解決手段】ティシュペーパーや、ペーパータオル１等薄い紙が多数枚重なっている場合に１番上の、ペーパーと２枚目の間にペーパー本体と色の異なるガイド３や、ペーパータオルを１枚に広げる為に、重なっているペーパータオルの間に本体と色の異なるガイド３を入れる。１枚目と２枚目の間に少し隙間を開け１枚目を指で摘める位の、余裕を与えてあればティシュは１枚だけ摘めて２枚、３枚、摘むことはなく、ペーパータオルも最初の１枚が、奇麗に広げる事が出来て、ティシュパーペーや、ペーパータオルの無駄がなくなる。【選択図】図１
0003161035.tif 000002
【実用新案登録請求の範囲】
【請求項１】
市販の、ペーパータオルや、テッシュペーパーを使用する時、１枚目の境目が判り難い為、大変開きにくい、その為製造段階で本体のペーパーと色の異なる不織布なりを、入れる事によって簡単に開けることが出来、又１枚だけを出せる事が出来てムダがなくなる。
【考案の詳細な説明】
【技術分野】
【０００１】
本考案は、ペーパータオルや、テッシュペーパー等厚さの無い薄い紙や、水分を含んでいる物を開いたり、１番最初の１枚を取り出す時に分かりにくいので分かり易くするため、ガイドを付けておくものである。
【背景技術】
【０００２】
現在使用頻度が、増えているペーパータオルを使用する時、ペーパーが折り畳んであるために開く時、全体の色が白い為開く所が非常に分かり難い上、テッシュペーパーの場合には２枚目以降は交互に畳み込んである為余り問題はないが、１番最初の１枚が、同じ様な理由により大変とりにくい為、ガイドを製造過程で入れてとり易くする。
【考案の概要】
【考案が解決しようとする課題】
【０００３】
本考案は、ペーパータオルや、テシュペーパーの本体の色が白とか、ブルーとかの色をしている為境目が判別しにくいので本体とは、別の色をしたガイドを入れて置けば、開けにくいとか１枚だけ出すのが可能にし簡単に出来る。
【課題を解決するための手段】
【０００４】
本考案は、テッシュペーパーの様に薄手の紙が多数枚重ねてある場合の最初の
１枚取る時や、ペーパータオルを袋から出して広げる時は何枚か重ねてあったり水分を含んであったりしていて、最初の１枚を取ったり最初に広げたりするのが非常に困難に成ってくる、その為その製造段階でその本体と色違いのテープをガイド代わりに入れて置く事により手の不自由な人も、目の悪い人も取り出したり広げたりする事が容易になる。その上テシュペーパーの場合は最初の１枚を出す時１枚でなく複数枚出てくるのを防げて節約になり、今流行りのエコにも貢献する。
【考案の効果】
【０００５】
上述の様に、本考案に入れるガイドと成るテープは、本体とは異なる色の幅１ｃｍ程度の紙片でよく、只ペーパータオルに入れる紙片は水に溶けず、色の染まらない紙片にして、市販の付箋の様な物でよく非常に安価であり、使用後ごみとして破棄しても公害の元にもならず又製造中に入れる為、余分な経費がかからない。
【図面の簡単な説明】
【０００６】
【図１】本考案のペーパータオルを開いた上部から見た図である。
【図２】テッシュペーパーの１枚目を開いた上部からの図である。
【図３】ペーパータオルを畳んだ状態の物を上部から見た図である。
【図４】テッシュペーパーの箱を上部から見た図である。
【図５】ペーパータオルを畳んだ状態を横から見た図である。
【図６】テッシュペーパーを箱から出した物を横から見た図である。
【考案を実施するための形態】
【０００７】
以下、添付図面に従って説明するが、それはいたって簡単で有る。
図１はペーパータオルの開いた状態の物である。
２は谷折の折れ線である。
３はガイドとして入れる紙片である。  
５は２の折れ線で谷折れにし３のガイドを入れた後山折れにしてペーパータオ
ル状にして袋に入れておく。
【０００８】
図２の４はテッシュペーパーの本体で７は５を軸にして４の下に折込み６aを 
４と７の間に入れて、６の部分をガイドとして出して置き１番最初に使う時ガイドを引けば１枚だけ出せる事が出来る。
【符号の説明】
【０００９】
１    ペーパータオル本体
２    ペーパータオルの山折の部分
３    ペーパータオルに入れるガイド
４    テッシュペーパー本体
５    テッシュペーパーを山折におって４を７の下に入れる
６    テッシュペーパーに入れるガイド
６a   ４と7 の間に入る１枚目のガイドに隠れている部分
７    ５を軸にして４の下に入る部分
８    ペーパータオルの本体に隠れた部分
９    テッシュペーパーの上部の蓋の部分
１０    テッシュペーパーの箱
【図１】
0003161035.tif 000003
【図２】
0003161035.tif 000004
【図３】
0003161035.tif 000005
【図４】
0003161035.tif 000006
【図５】
0003161035.tif 000007
【図６】
0003161035.tif 000008
【手続補正書】
【提出日】平成22年1月5日(2010.1.5)
【手続補正１】
【補正対象書類名】実用新案登録請求の範囲
【補正対象項目名】全文
【補正方法】変更
【補正の内容】
【実用新案登録請求の範囲】
【請求項１】
ティシュペーパーや、ペーパータオル等薄い紙が多数枚重なっている場合に１番上の、ペーパーと２枚目の間にペーパー本体と色の異なるガイドや、ペーパータオルを１枚に広げる為に、重なっているペーパータオルの間に本体と色の異なるガイドを入れて置き、１枚目と２枚目の間に少し隙間を開け１枚目を指で摘める位の、余裕を与えてあればティシュは１枚だけ摘めて２枚、３枚、摘むことはなく、ペーパータオルも最初の１枚が、奇麗に広げる事が出来て、ティシュパーペーや、ペーパータオルの無駄がなくなる。
【手続補正書】
【提出日】平成22年2月23日(2010.2.23)
【手続補正１】
【補正対象書類名】実用新案登録請求の範囲
【補正対象項目名】全文
【補正方法】変更
【補正の内容】
【実用新案登録請求の範囲】
【請求項１】
本考案は、薄紙状の物品を1枚づつ取り出す為のガイドに関する技術であって、薄紙状の物品が多数枚重なっている場合に1番上の、薄紙状の物品と2枚目の間に薄紙状の積層物本体と色の異なるガイドを入れて、1枚目と2枚目の間に少し余裕を与え1枚目だけを摘み2枚目、3枚目は摘ま無い様にし、又薄紙状の物品にもガイドを入れる事により、1枚に綺麗に広げる事が出来るガイド。
【手続補正書】
【提出日】平成22年5月10日(2010.5.10)
【手続補正１】
【補正対象書類名】実用新案登録請求の範囲
【補正対象項目名】全文
【補正方法】変更
【補正の内容】
【実用新案登録請求の範囲】
【請求項１】
本体内に薄紙状の物品が交互に畳み込んで重なっている物において、１番上の畳み込まれた薄紙状の物品の間に入れて置き、引き上げる事によって１番上の薄紙状の物品をつかみ易くする為のガイドであって、前記本体と異なる色で幅１センチメートル位のガイド。
(57)【要約】      （修正有）【課題】研削処理作業に伴う、研削処理作業の省力化と高効率、研削処理作業者の安全と負担軽減をする研削手袋を提供する。【解決手段】手袋本体の掌握部の圧着できる部分に研削部を設け、表面に研削材を接着固定し、被研削物の表面及び表層部を圧着移動させることにより、被研削物を研削する研削手袋である。この研削手袋は手にはめて使用することで、前後左右や上下、また表面、裏面の部分まで手の動きと共に自在に研削具として使用することができ、研削材の種類を変えた物にはめ変えることにより、研削物の用途に合わせて使用することもできる。また握る、掴むという通常作業や、滑り止めとしての機能を持ち、そして手袋本来の用途である手の安全保護具としても使用することができる。【選択図】図２
0003161036.tif 000002
【実用新案登録請求の範囲】
【請求項１】
手袋本体の掌握部の圧着する部分に研削部を設ける。この前記研削部は表面に研削材を接着固定し、被研削物の表面及び表層部を圧着移動させることにより、被研削物を研削する研削手袋である。
【請求項２】
前記研削手袋は手にはめて使用することで、被研削物の前後左右や上下、また表面、裏面の部分まで手の動きと共に自在に研削具として使用することを特徴とした請求項目１に記載の研削手袋である。
【請求項３】
前記研削手袋は前記研削部の研削材の種類を変えた物にはめ変えることにより、研削物の用途に合わせて使用することを特徴とする前記請求項１に記載の研削手袋ある。
【請求項４】
前記研削手袋は、握る、掴むという通常作業や、手袋本来の用途である手の安全保護具としても使用することを特徴とする前記請求項１に記載の研削手袋である。
【請求項５】
前記研削手袋は、握る、掴むという通常作業において、滑り止めとしての機能を持つことを特徴とする前記請求項１に記載の研削手袋である。
【考案の詳細な説明】
【技術分野】
【０００１】  本考案は、研削処理削作業に伴う、研削処理作業の省力化と高効率。研削処理作業者の安全と負担軽減をする装置に関する。
【背景の技術】
【０００２】  建築構造物の新築、改修工事において、被切削物の対象であるコンクリート面の塗材、外壁面の塗材、鉄部の研削処理作業には、ハンドタイプで高速回転の電動工具やワイヤーブラシ等が主に使用されている。
【考案が解決しようとする課題】
【０００３】  環境問題の重視により、作業時に発生する騒音、振動、臭気、ホコリ等の対応はもちろん、作業者周辺、そして作業場所の周辺への配慮が常識化となり、さまざまな工具や工法を採用して工事は行われている。従来よりハンドタイプで高速回転の電動工具が使用されているのが主流であるが、年々塗材の変化や工法の変化によって、形状の複雑さや狭小部への対応が取れず苦慮している。また高速回転の電動工具のため研削してはいけない部分まで傷つけてしまうなど、効率が上がらず苦労しているのが現実である。
【０００４】  この考案は、通常使用している手袋の掌握部に研削具を取り付けることによって、指や手の掌部分で任意の仕上がりを得ることを特徴とする。
【０００５】  この考案は、パイプなどの形状に対しても、掴む感覚で被研削物を研削することを特徴とする。
【０００６】  この考案は、研削具の材質を変えた物にはめ変えることにより、木部用、鉄部用、コンクリート用と用途に合わせて使用することを特徴とする。
【考案を実施するための形態】
【０００７】  本考案の研削手袋は手にはめて使用することで、前後左右や上下、また表面、裏面の部分まで手の動きと共に自在に研削具として使用することで安全で任意の仕上がりが得られる。
【実施例１】
【０００８】  以下、本考案の研削手袋の実施例を、添付した図１〜図５にしたがって説明する。図１は、手袋本体の表面の甲部分の正面図である。図２は、手袋本体の掌握部に本考案の研削具を取り付けた正面図である。図３は、被研削物に本考案の研削手袋をあて、パイプの錆を研削する側面図である。図４は、被研削物に本考案の研削手袋をあて、鉄部の目荒しする側面図である。図５は、従来のハンドタイプで高速回転の電動工具とワイヤーブラシである。
【考案の効果】
【０００９】  本考案の研削手袋は、以上説明をしてきたとうり、従来より使用されている高速回転の電動工具の入りにくい場所や使用できない場所。またワイヤーブラシでも取れにくい用途でも、任意の圧着や速度によって簡便かつ安全に効率よく研削できる。そして作業者の肉体的な疲労度や作業効率に多いに寄与できる。
【図面の簡単な説明】
【００１０】
【図１】は、手袋本体の表面の正面図である。
【図２】は、手袋本体の掌握部に本考案の研削具を取り付けた正面図である。
【図３】は、被研削物に本考案の研削手袋をあて、パイプの錆を研削する側面図である。
【図４】は、被研削物に本考案の研削手袋をあて、鉄部の目荒しする側面図である。
【図５】は、従来のハンドタイプで高速回転の電動工具とワイヤーブラシである。
【図１】
0003161036.tif 000003
【図２】
0003161036.tif 000004
【図３】
0003161036.tif 000005
【図４】
0003161036.tif 000006
【図５】
0003161036.tif 000007
【手続補正書】
【提出日】平成22年2月25日(2010.2.25)
【手続補正１】
【補正対象書類名】実用新案登録請求の範囲
【補正対象項目名】全文
【補正方法】変更
【補正の内容】
【実用新案登録請求の範囲】
【請求項１】
手袋本体の手の平部分の５本の指部、手の平部に研削部を設け、この表面に研削材を接着固定し、被研削物の表面及び表層部を研削する研削手袋。
【請求項２】
前記研削手袋は手の部位である５本の指部、手の平部、に設けてある研削部を被研削部の角部、円部、狭小部、平場に圧着させて摺り動かすことで、研削具として使用することを特徴とした請求項目１に記載の研削手袋。
【手続補正書】
【提出日】平成22年4月27日(2010.4.27)
【手続補正１】
【補正対象書類名】実用新案登録請求の範囲
【補正対象項目名】全文
【補正方法】変更
【補正の内容】
【実用新案登録請求の範囲】
【請求項１】
手袋本体の手の平部分の５本の指部、手の平部に研削部を設け、この表面に研削材を接着固定し、被研削物の表面及び表層部を研削する研削手袋。
【請求項２】
前記研削手袋は手の部位である５本の指部、手の平部、に設けてある研削部を被研削部の角部、円部、狭小部、平場に圧着させて摺り動かすことで、研削具として使用することを特徴とした請求項１に記載の研削手袋。
(57)【要約】      （修正有）【課題】水準器の着脱が容易にでき、加工精度が格段に向上するドリルを提供する。【解決手段】ドリルの天井面、側面、背面にそれぞれ本体の中心軸に対して平行及び直角な、磁石に反応する金属片を埋め込んで置く。【選択図】図１
0003161055.tif 000002
【実用新案登録請求の範囲】
【請求項１】
水準器を取り付ける為に、本体の中心軸に対して水平及び直角な金属片を備えたドリル
【考案の詳細な説明】
【技術分野】
【０００１】  ドリルにて穿孔、ネジ切りなどをする時に、１人で被加工面に対して直角に穿孔、ネジ切りなどをする事は非常に困難である。【０００２】  そこで、ドリルに水準器を取り付ける事によって精度を格段に上げる事ができる。
【背景技術】
【０００３】  ドリルに水準器を取り付ける方法や、水準器を取り付けたドリルに関する特許、実用新案は３０件ほど受理されているが、製品となって市販されているものは全くない。
【考案の概要】
ドリル本体に「磁石付き水準器」を取り付ける為の金属片を埋め込んでおく。
なお、金属片はドリル本体の材質によって
（イ）糊で接着する方法
（ロ）ネジ止めする方法などもある。
【考案が解決しようとする課題】
【０００４】  水準器の着脱が容易である。  また、水準器が必要でない時は取り外す事ができる。
【課題を解決するための手段】
【０００５】  ドリルの天井面、側面、背面に、それぞれ本体の中心軸に対して水平及び直角になる様に、磁石に反応する金属片を埋め込んで置く。
【考案の効果】
【０００６】  市販の磁石付き水準器が容易に着脱出来る。
【図面の簡単な説明】
【０００７】
【図１】  本考案の側面図である。
【図２】  本考案の平面図である。
【図３】  本考案の背面図である。
【符号の説明】
【０００８】  ▲１▼  ドリル本体
▲２▼  金属片（天井部）
▲３▼  金属片（側面部）
▲４▼  金属片（背面部）
【図１】
0003161055.tif 000003
【図２】
0003161055.tif 000004
【図３】
0003161055.tif 000005
【手続補正書】
【提出日】平成22年4月22日(2010.4.22)
【手続補正１】
【補正対象書類名】実用新案登録請求の範囲
【補正対象項目名】全文
【補正方法】変更
【補正の内容】
【実用新案登録請求の範囲】
【請求項１】
ドリル刃と前記ドリル刃が取り付けられるドリル本体からなるドリルであって、水準器を取り付ける為に、ドリル本体の表面にドリル刃の中心軸に対して平行となる様に取り付けられた金属片等、ドリル本体の前記ドリル刃と反対側に前記中心軸と直角になる様取り付けられた金属片が備えられた事を特徴とするドリル。
【手続補正２】
【補正対象書類名】明細書
【補正対象項目名】０００５
【補正方法】変更
【補正の内容】
【０００５】ドリルの天井面、側面、背面に、それぞれ本体の中心軸に対して平行及び直角になる様に、磁石に反応する金属片を埋め込んで置く。
(57)【要約】      （修正有）【課題】沐浴時に新生児の耳に水の浸入を防ぐための、安価で取り扱いの簡単な耳抑え（指の補助具）を提供する。【解決手段】沐浴時、耳抑え補助具１を新生児の後頭部を支える手の親指及び薬指（又は中指に嵌め、後頭部を支えると同時に耳抑え補助具１にて新生児の耳を軽く抑える。本耳抑え補助具を使用すると、沐浴時に新生児の耳を確実におさえて水が耳に浸入するのを防止できる。併せて、ゴム系の材質により頭部の支えが滑りにくくなるために沐浴作業の負担を軽減できる。従来の耳抑え補助具と比較して、２本の指に嵌めるだけでよく、取り扱いが極めて楽になり、製造も安価となる。【選択図】図１
0003161060.tif 000002
【実用新案登録請求の範囲】
【請求項１】
新生児の沐浴時に、新生児の頭部を支える手の親指および薬指または中指にはめ込む耳抑え。
材質は滑りにくく耳を抑えても変形しない程度の固さのゴム系の物質とする。
【考案の詳細な説明】
【技術分野】
【０００１】新生児の沐浴時に、耳抑え用の指に爪形の補助具を付けることで耳に水の浸入を防ぐ。
【背景技術】
【０００２】指に耳抑え補助具をつけることで、指でカバーできない範囲の新生児の耳を確実に抑えることができる。
【考案の開示】
【考案が解決しようとする課題】
【０００３】新生児の沐浴時、耳に水が浸入しないよう、後頭部を手のひらで支えて親指および薬指（または中指）で新生児の耳をおさえる姿勢が必要となる。この時、どうしても指のみでは長さが不足して両方の耳を同時に塞ぐのは困難である。また、石鹸を使用するので、滑りやすく沐浴作業に困難が伴う。
【課題を解決するための手段】
【０００４】新生児の頭部を支える側の親指および薬指（または中指）に滑りにくく固めの材質で制作した耳抑え用の補助具をはめ込み、指だけでは不足する長さをカバーすると同時に頭部の支える手の滑りを軽減する。
【考案の効果】
【０００５】本考案の耳抑え補助具を使用すると、沐浴時に新生児の耳を確実におさえて水が耳に浸入するのを防止できる。併せて、ゴム系の材質により頭部の支えが滑りにくくなるために沐浴作業の負担を軽減できる。従来考案されていた耳抑え補助具と比較して、２本の指に嵌めるだけでよく、取り扱いが極めて楽になり、製造も安価となる。
【図面の簡単な説明】
【０００６】
【図１】新生児耳抑え補助具の図
【図２】新生児耳抑え補助具の試作品写真
【符号の説明】
【０００７】▲１▼  耳抑え
▲２▼  指
【考案を実施するための最良の形態】
【０００８】固めのゴム系材質を使用し、親指及び薬指（もしくは中指）に嵌める爪型の補助具。爪の先から１〜２ｃｍの長さとする。耳抑え部分の形状は横長、ストレート、花型等色々なバリエーションを作り楽しむこともできる。
【図１】
0003161060.tif 000003
【図２】
0003161060.tif 000004
【手続補正書】
【提出日】平成22年4月22日(2010.4.22)
【手続補正１】
【補正対象書類名】実用新案登録請求の範囲
【補正対象項目名】全文
【補正方法】変更
【補正の内容】
【実用新案登録請求の範囲】
【請求項１】
新生児の沐浴時に、滑りにくく耳を抑えても変形しない程度の固さのゴム系の物質で製作され、指にはめ込む形状を有する新生児沐浴用耳抑え器具。
(57)【要約】      （修正有）【課題】スポーツ用自転車のハンドル組み立てする際に、ハンドルバーの角度やブレーキレバーブラケットの高さ及び角度のずれを明確に判断出来る位置出し工具を提供する。【解決手段】シャフト１と横棒２は、主柱によりスライド機能３を介して連結される。横棒２には目盛り７が設けられる。【選択図】図１
0003161051.tif 000002
【実用新案登録請求の範囲】
【請求項１】
シャフト(1)と常に平行かつねじれの無い状態を維持する横棒(2)は主柱(5)によりスライド機能(3)を介して連結された構造により構成されるスポーツ自転車用ハンドルおよびブレーキレバーブラケット位置出し工具。
【請求項２】
横棒（２）には目盛（７）が設けられ、位置ずれ量が明確に判断できるスポーツ自転車用ハンドルおよびブレーキレバーブラケット位置出し工具。
【請求項３】
支え棒（４）により、本案使用時の車体前傾を防ぐことが出来るスポーツ自転車用ハンドルおよびブレーキレバーブラケット位置出し工具。
【考案の詳細な説明】
【技術分野】
【０００１】
本案は、スポーツ用自転車に多く用いられるドロップ型ハンドルバー及び、ハンドルバーに取り付けられるブレーキレバーブラケットの位置を正確に確認する工具である。
【背景技術】
【０００２】
従来より、スポーツ用自転車のハンドル組み立て・調整は、自転車自体に明確な位置決め機構が備わっていない為、組み立て者が目視やメジャーなどを用いた簡易的な方法で確認していた。
【先行技術文献】
【特許文献】
【０００３】
【特許文献１】特開  ２００３−２５２１８３号公報
【考案の概要】
【考案が解決しようとする課題】
【０００４】
目視等による組み付け確認では、車軸に対するハンドルバーの平行度やブブレーキレバーブラケットの左右高さなどがずれた状態で組み付けされる為、乗車時の違和感や走行効率の低下などの原因となっていた。
【課題を解決するための手段】
【０００５】
本案は、図1のシャフト(1)と常に平行かつねじれの無い状態を維持する横棒(2)は主柱(5)によりスライド機能(3)を介して連結された構造により構成され、前輪を取り外した前車軸取り付け部に、車輪に代わって簡易的に固定し、横棒とブレーキレバーブラケットの相対的な位置を確認する工具である。
【考案の効果】
【０００６】
本案により、ハンドルバー及び、ブレーキレバーブラケット確実な位置確認が可能となり、乗車時の違和感の解消や走行効率の改善が期待できる。
【図面の簡単な説明】
【０００７】
【図１】本考案使用時の概要図
【図２】本考案の正面図
【図３】図1のシャフト（1）の拡大図
【図４】図1のスライド部（3）の拡大図及び横棒の構成図
【図５】使用例1  （ハンドルバーの取り付けがずれている場合）
【図６】使用例2  （ブレーキレバーブラケットの取り付けがずれている場合）
【考案を実施するための形態】
【０００８】
本考案はシャフト(1)と常に平行かつねじれの無い状態を維持する横棒(2)、及び横棒の高さを調整できるスライド機能（3）、支え棒(4)により構成される。
シャフト（１）は、自転車前車輪の車軸部分と同じ形状となっており、フロントフォークの車軸取り付け部に簡易的に取り付けが出来る構造となっている。
自転車より前車輪を取り外し、シャフト(1)を車軸取り付け部にずれのないように固定し、（６）のねじを緩め、（３）スライド部を調整して横棒の高さをブレーキレバーブラケット（１０）に合わせる。
横棒（２）をブレーキレバーブラケット先端に当て、左右のブレーキレバーブラケットと横棒の隙間及び、高さのずれを確認する。
横棒の目盛（７）とブレーキレバーブラケットの先端の位置を合わせ、ブレーキレバーブラケット自体の角度ずれを確認する。
ブレーキレバーブラケット取り付け前のハンドルバーで使用した場合、ハンドルバー単体での角度ずれ確認となる。
スライド機構は、横棒（２）に固定されたスライドガイド（８）と主柱（５）の上端に固定されたスライドレール（９）、及びそれらを任意の場所で固定する固定ねじ（６）で構成され、スライドガイド（８）はスライドレール（９）と噛み合い、スムーズに動く事が出来る様になっている。
支え棒（４）は本考案を使用する際に自転車の前傾を解消し、作業性を高める為の付属品である。
ハンドルバーの取り付けに角度ずれが生じている場合は、横棒（２）とブレーキレバーブラケットの間に隙間が生じる。
ブレーキレバーブラケットのみ角度ずれが生じている場合は、目盛に対するブレーキレバーブラケット先端に左右でずれが生じる。
【産業上の利用可能性】
【０００９】
本案は、スポーツ用自転車に多く用いられるドロップ型ハンドルバー及び、ハンドルバーに取り付けられるブレーキレバーブラケットの位置を正確に確認する工具
【符号の説明】
【００１０】
1    シャフト
2    横棒
3    スライド部
4    支え棒
5    主柱
6    固定ねじ
7    目盛
8    スライド部ガイド
9    スライド部レール
10    ブレーキレバーブラケット
【図１】
0003161051.tif 000003
【図２】
0003161051.tif 000004
【図３】
0003161051.tif 000005
【図４】
0003161051.tif 000006
【図５】
0003161051.tif 000007
【図６】
0003161051.tif 000008
【手続補正書】
【提出日】平成22年4月27日(2010.4.27)
【手続補正１】
【補正対象書類名】実用新案登録請求の範囲
【補正対象項目名】全文
【補正方法】変更
【補正の内容】
【実用新案登録請求の範囲】
【請求項１】
シャフト（１）と常に平行かつねじれの無い状態を維持する横棒（２）は主柱（５）によりスライド機能（３）を介して連結された構造により構成されるスポーツ自転車用ハンドルおよびブレーキレバーブラケット位置出し工具。
【請求項２】
横棒（２）には目盛（７）が設けられ、位置ずれ量が明確に判断できる事を特徴とした請求項１記載の位置出し工具。
【請求項３】
支え棒（４）により、使用時の車体前傾を防ぐことが出来る事を特徴とした請求項１記載の位置出し工具。
(57)【要約】      （修正有）【課題】かつらなどを保持する器具を収納及び運搬する際にその必要となる容積の少ない組立式かつら保持器を提供する。【解決手段】かつらを展示のためにかつらを保持するかつら保持器を、切り込みを有する人頭形、丸形、あるいは半円形でかつ平面の形状を有する比較的軽くて硬い紙、アクリルまたはプラスティックの部材１〜ｎで構成する。切り込みに部材を互いに挿入することによりかつら保持器となるようにし、かつら保持器を使用しない際には、部材を相互に外すことが可能となる様構成して可搬型かつら展示器具とする。【選択図】図１
0003161054.tif 000002
【実用新案登録請求の範囲】
【請求項１】
かつらなどを展示のためにかつらなどを保持するかつら保持器を、比較的軽くて硬い紙、アクリルまたはプラスティックなどの軽量の部材で構成し、それらの部材の形状を平面として、部材を互いに挿入し組立てることによりかつら保持器となるようにし、かつら保持器を使用しない際には必要とする容積を少なくするようにし、収納と運搬を経済的にしたことを特徴とする可搬型かつら展示器具。
【考案の詳細な説明】
【技術分野】
【０００１】本考案は、かつらなどを保持する組立式の器具に関するものである。
【背景技術】
【０００２】従来のかつらなどの保持器は人頭形の固定的な保持器が使用されているが、使用しない場合のかつら保持器の収納に必要な容積が大きい、あるいはかつら保持器を地理的に広範な展示箇所に対応して展示を行うのに運搬に効率的なかつらなどを保持する器具の技術に関するものである。
【考案の概要】
【考案が解決しようとする課題】
【０００３】かつらなどを保持する器具を収納及び運搬する際にその必要となる容積の少ない器具を提供すること。
【課題を解決するための手段】
【０００４】上記課題を解決するため、本考案の請求項１に記載の組立式かつら保持器は、かつらなどを保持するかつら保持器を複数の部材によって組立てる構造を採用し、かつらなどを保持する必要のない収納時あるいは運搬時には、組立てられたかつら保持器を分解することにより、必要となる容積の少ない器具とした。
【考案の効果】
【０００５】本考案による組立式かつら保持器を使用することにより、かつらを保持しない際のかつら保持器の収納に必要な容積を減らすことが可能となり、その状態で運搬が可能となることにより、経済性を増加せしめた。
【図面の簡単な説明】
【０００６】
【図１】図１は、本考案による組立式かつら保持器の鳥瞰図である。
【図２】図２は、本考案による組立式かつら保持器の分解図である。
【実施例】
【０００７】本考案の可搬型かつら展示器具を、図面に示す具体的な実施例にもとづいて説明する。【０００８】図１から図２に示す本考案による組立式かつら保持器は、組立てた際に人頭形の形状を構成しかつ自立するように部材（１）から部材（ｎ）が、構成される。組立式かつら保持器を組立てるには、部材（１）から部材（ｎ）を予め定められた位置に挿入することによって行う。分解するには、部材（１）から部材（ｎ）を挿入されている状態から、抜き出すことによって行う。部材（１）から部材（ｎ）には比較的硬い紙、プラスティックまたはアクリルなどを使用する。図１は組立てられた状態を示している。分解した際には、部材（１）から部材（ｎ）は重ね合わせることが可能であり、収納に必要な容積を少なくすることが可能である。
【符号の説明】
【０００９】１  比較的硬い紙、プラスティックまたはアクリルなどによるかつら展示器具を形成する部材
ｎ  比較的硬い紙、プラスティックまたはアクリルなどによる展示台を形成する部材
【図１】
0003161054.tif 000003
【図２】
0003161054.tif 000004
【手続補正書】
【提出日】平成22年4月27日(2010.4.27)
【手続補正１】
【補正対象書類名】実用新案登録請求の範囲
【補正対象項目名】全文
【補正方法】変更
【補正の内容】
【実用新案登録請求の範囲】
【請求項１】
かつらを展示のためにかつらを保持するかつら保持器を、切り込みを有する人頭形、丸形、あるいは半円形でかつ平面の形状を有する比較的軽くて硬い紙、アクリルまたはプラスティックの部材で構成され、切り込みに部材を互いに挿入することによりかつら保持器となるようにし、かつら保持器を使用しない際には、部材を相互に外すことを可能とした構造を特徴とする可搬型かつら展示器具。